(57)【要約】【課題】本発明はクリスタルトロフィーを開示した。【解決手段】トロフィー本体を含み、前記トロフィー本体の中には上方に開口した昇降溝が設置され、前記昇降溝の中には展開機構が設置され、前記展開機構は左右に対称した二つの弾性溝を含み、前記弾性溝が前記トロフィー本体の中に位置しており、且つ前記弾性溝のうち前記昇降溝に近接する端壁が前記昇降溝に連通しており、前記弾性溝の下端壁には弾性バネが固定的に連結され、前記弾性バネの上端には前記弾性溝とスライドできるように連結される弾性ブロックが固定的に設置される。【選択図】図１
2020179129.tif 000002
【特許請求の範囲】
【請求項１】
正面視で、トロフィー本体を含み、前記トロフィー本体の中には上方に開口した昇降溝が設置され、前記昇降溝の中には展開機構が設置され、前記展開機構は左右に対称した二つの弾性溝を含み、前記弾性溝が前記トロフィー本体の中に位置しており、且つ前記弾性溝のうち前記昇降溝に近接する端壁が前記昇降溝に連通しており、前記弾性溝の下端壁には弾性バネが固定的に連結され、前記弾性バネの上端には前記弾性溝とスライドできるように連結される弾性ブロックが固定的に設置され、前記弾性ブロックのうち前記昇降溝に近接する端面には弾性ロッドが固定的に設置され、前記弾性ロッドのうち前記昇降溝に近づく一端が前記昇降溝の中に位置しており、前記昇降溝の中には上端が前記昇降溝の上端壁を貫通した中心ロッドはスライドできるように設置され、前記中心ロッドの下端面の右側には底部ロッドが固定的に設置され、前記中心ロッドの左右端面と前記弾性ロッドとが固定的に連結され、前記中心ロッドの外端面には六つのラックブロックが均一に固定的に設置され、前記昇降溝の外端壁には六つの外部に連通した活動溝が均一に分布しており、右側の前記活動溝を例にとると、右側の前記活動溝の前後端壁の間には伝動軸が回転できるように設置され、前記伝動軸には伝動ギヤと細ロッドとが固定的に設置され、前記伝動ギヤと右側の前記ラックブロックとが噛合できるように伝動され、前記細ロッドの右端が外部に位置しており、且つ前記細ロッドの右端には外殻ブロックが固定的に設置され、前記トロフィー本体の上側には香水機構が固定的に連結され、前記香水機構はトロフィー本体の上側に位置した中層板を含み、前記中層板が二本の左右に対称した中層ロッドにより前記トロフィー本体の上端面と固定的に連結され、前記中層板の中には下方に開口した円形溝が設置され、前記円形溝の右端壁には横溝が設置され、前記円形溝の上端壁の中にはねじり溝が設置され、前記ねじり溝の下端壁には上端が外部に位置した太い軸は回転できるように設置され、外部に位置した前記太い軸にはリールが固定的に設置され、前記横溝の右端壁には横向きバネが固定的に設置され、前記横向きバネの左端には台形ブロックが固定的に設置され、前記台形ブロックと前記リールとがロープにより連結され、また、前記ラックブロックが上昇するか昇降する時に、前記ラックブロックと前記伝動ギヤとの噛合伝動により、前記外殻ブロックを連動させて互いに離れさせまたは接近させることを特徴とするクリスタルトロフィー。
【請求項２】
前記展開機構は前記トロフィー本体の下側に位置したハンドルブロックも含み、前記ハンドルブロックの下端面には台座が固定的に設置され、前記ハンドルブロックの上端面には上端が前記昇降溝の中に位置した円形ブロックが固定的に設置され、前記昇降溝の外端壁には環形溝が設置され、前記円形ブロックの左右端面には前記円形ブロックから離れる片端が前記環形溝の中に位置した回転ロッドが対称的に固定的に設置され、前記回転ロッドのうち前記円形ブロックから離れる片端には前記環形溝とスライドできるように連結される弧形ブロックが固定的に設置され、前記円形ブロックの上端面には曲面ブロックが固定的に設置され、また、前記台座を回転させ、前記曲面ブロックを回転連動させることができ、前記曲面ブロックの前記底部ロッドに相対する回転が前記底部ロッドをプッシュし昇降させ、それにより前記中心ロッドをプッシュし昇降させることを特徴とする請求項１に記載のクリスタルトロフィー。
【請求項３】
前記香水機構はまた前記中層板の上側に位置した上層板を含み、前記上層板と前記中層板とが二本の左右に対称している上層ロッドにより固定的に連結され、前記トロフィー本体の外側には香水ブロックが固定的に設置され、前記香水ブロックの中には香水溝が設置され、前記上層板の中には通気溝が設置され、前記通気溝と前記香水溝とが二本の左右に対称しているホースにより連通しており、前記太い軸の上端が前記通気溝の中に位置しており、且つ前記太い軸の上端には通気板が固定的に設置され、前記通気板の中には前記通気板の上下端面を貫通した小さい穴が左右対称に設置され、前記通気溝の上端壁には排気穴が左右対称に設置され、前記上層板の上端面にはクリスタルジュエリーが固定的に設置され、前記クリスタルジュエリーの中には前記排気穴と外部とを連通した折畳溝が左右対称に設置され、また、前記通気板が回転する時に前記小さい穴に前記排気穴を連通させるまたは密封させることができることを特徴とする請求項１に記載のクリスタルトロフィー。
【発明の詳細な説明】
【技術分野】
【０００１】
本発明はクリスタル分野を取り上げて、具体的にはクリスタルトロフィーである。
【背景技術】
【０００２】
クリスタルは、その透明な特性と磨かれた美しい外観のため、トロフィーを作る材料として広く使われ、しかし既存のクリスタルトロフィーの大部分は保護手段を持たず、割れやすく、また外観の展示効果しかない。
【先行技術文献】
【特許文献】
【０００３】
【特許文献１】中国特許出願公開第１０４３５２０３４号明細書
【発明の概要】
【発明が解決しようとする課題】
【０００４】
本発明の目的はクリスタルトロフィーを提供し、それは上記の現在の技術中の問題を解決できる。
【課題を解決するための手段】
【０００５】
上記の課題を解決するため、本発明は以下の技術プランを採用する：本発明のクリスタルトロフィーは、トロフィー本体を含み、前記トロフィー本体の中には上方に開口した昇降溝が設置され、前記昇降溝の中には展開機構が設置され、前記展開機構は左右に対称した二つの弾性溝を含み、前記弾性溝が前記トロフィー本体の中に位置しており、且つ前記弾性溝のうち前記昇降溝に近接する端壁が前記昇降溝に連通しており、前記弾性溝の下端壁には弾性バネが固定的に連結され、前記弾性バネの上端には前記弾性溝とスライドできるように連結される弾性ブロックが固定的に設置され、前記弾性ブロックのうち前記昇降溝に近接する端面には弾性ロッドが固定的に設置され、前記弾性ロッドのうち前記昇降溝に近づく一端が前記昇降溝の中に位置しており、前記昇降溝の中には上端が前記昇降溝の上端壁を貫通した中心ロッドはスライドできるように設置され、前記中心ロッドの下端面の右側には底部ロッドが固定的に設置され、前記中心ロッドの左右端面と前記弾性ロッドとが固定的に連結され、前記中心ロッドの外端面には六つのラックブロックが均一に固定的に設置され、前記昇降溝の外端壁には六つの外部に連通した活動溝が均一に分布しており、右側の前記活動溝を例にとると、右側の前記活動溝の前後端壁の間には伝動軸が回転できるように設置され、前記伝動軸には伝動ギヤと細ロッドとが固定的に設置され、前記伝動ギヤと右側の前記ラックブロックとが噛合できるように伝動され、前記細ロッドの右端が外部に位置しており、且つ前記細ロッドの右端には外殻ブロックが固定的に設置され、前記トロフィー本体の上側には香水機構が固定的に連結され、前記香水機構はトロフィー本体の上側に位置した中層板を含み、前記中層板が二本の左右に対称した中層ロッドにより前記トロフィー本体の上端面と固定的に連結され、前記中層板の中には下方に開口した円形溝が設置され、前記円形溝の右端壁には横溝が設置され、前記円形溝の上端壁の中にはねじり溝が設置され、前記ねじり溝の下端壁には上端が外部に位置した太い軸は回転できるように設置され、外部に位置した前記太い軸にはリールが固定的に設置され、前記横溝の右端壁には横向きバネが固定的に設置され、前記横向きバネの左端には台形ブロックが固定的に設置され、前記台形ブロックと前記リールとがロープにより連結され、また、前記ラックブロックが上昇するか昇降する時に、前記ラックブロックと前記伝動ギヤとの噛合伝動により、前記外殻ブロックを連動させて互いに離れさせまたは接近させる。
【０００６】
優選の技術プランとして、前記展開機構は前記トロフィー本体の下側に位置したハンドルブロックも含み、前記ハンドルブロックの下端面には台座が固定的に設置され、前記ハンドルブロックの上端面には上端が前記昇降溝の中に位置した円形ブロックが固定的に設置され、前記昇降溝の外端壁には環形溝が設置され、前記円形ブロックの左右端面には前記円形ブロックから離れる片端が前記環形溝の中に位置した回転ロッドが対称的に固定的に設置され、前記回転ロッドのうち前記円形ブロックから離れる片端には前記環形溝とスライドできるように連結される弧形ブロックが固定的に設置され、前記円形ブロックの上端面には曲面ブロックが固定的に設置され、また、前記台座を回転させ、前記曲面ブロックを回転連動させることができ、前記曲面ブロックの前記底部ロッドに相対する回転が前記底部ロッドをプッシュし昇降させ、それにより前記中心ロッドをプッシュし昇降させる。
【０００７】
優選の技術プランとして、前記香水機構はまた前記中層板の上側に位置した上層板を含み、前記上層板と前記中層板とが二本の左右に対称している上層ロッドにより固定的に連結され、前記トロフィー本体の外側には香水ブロックが固定的に設置され、前記香水ブロックの中には香水溝が設置され、前記上層板の中には通気溝が設置され、前記通気溝と前記香水溝とが二本の左右に対称しているホースにより連通しており、前記太い軸の上端が前記通気溝の中に位置しており、且つ前記太い軸の上端には通気板が固定的に設置され、前記通気板の中には前記通気板の上下端面を貫通した小さい穴が左右対称に設置され、前記通気溝の上端壁には排気穴が左右対称に設置され、前記上層板の上端面にはクリスタルジュエリーが固定的に設置され、前記クリスタルジュエリーの中には前記排気穴と外部とを連通した折畳溝が左右対称に設置され、また、前記通気板が回転する時に前記小さい穴に前記排気穴を連通させるまたは密封させることができる。
【発明の効果】
【０００８】
この装置を使用しない時に、外殻により内部のクリスタルジュエリーを保護でき、展示する時に蓮の形に成形でき、内部の五芒星形のクリスタルジュエリで美しい外観を形成し、また展示する時に、装置の中の香水が自然に揮発し、外部に香りを付けることができる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のクリスタルトロフィーの全体断面の正面構成略図
【図２】図２は図１のＡの拡大構造略図
【図３】図３は図１のＢの拡大構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参考し、本発明のクリスタルトロフィーは、トロフィー本体１４を含み、前記トロフィー本体１４の中には上方に開口した昇降溝２５が設置され、前記昇降溝２５の中には展開機構６０が設置され、前記展開機構６０は左右に対称した二つの弾性溝１６を含み、前記弾性溝１６が前記トロフィー本体１４の中に位置しており、且つ前記弾性溝１６のうち前記昇降溝２５に近接する端壁が前記昇降溝２５に連通しており、前記弾性溝１６の下端壁には弾性バネ１３が固定的に連結され、前記弾性バネ１３の上端には前記弾性溝１６とスライドできるように連結される弾性ブロック１５が固定的に設置され、前記弾性ブロック１５のうち前記昇降溝２５に近接する端面には弾性ロッド３２が固定的に設置され、前記弾性ロッド３２のうち前記昇降溝２５に近づく一端が前記昇降溝２５の中に位置しており、前記昇降溝２５の中には上端が前記昇降溝２５の上端壁を貫通した中心ロッド１７はスライドできるように設置され、前記中心ロッド１７の下端面の右側には底部ロッド３３が固定的に設置され、前記中心ロッド１７の左右端面と前記弾性ロッド３２とが固定的に連結され、前記中心ロッド１７の外端面には六つのラックブロック２９が均一に固定的に設置され、前記昇降溝２５の外端壁には六つの外部に連通した活動溝２６が均一に分布しており、右側の前記活動溝２６を例にとると、右側の前記活動溝２６の前後端壁の間には伝動軸２８が回転できるように設置され、前記伝動軸２８には伝動ギヤ２７と細ロッド３８とが固定的に設置され、前記伝動ギヤ２７と右側の前記ラックブロック２９とが噛合できるように伝動され、前記細ロッド３８の右端が外部に位置しており、且つ前記細ロッド３８の右端には外殻ブロック２４が固定的に設置され、前記トロフィー本体１４の上側には香水機構６１が固定的に連結され、前記香水機構６１はトロフィー本体１４の上側に位置した中層板４８を含み、前記中層板４８が二本の左右に対称した中層ロッド４９により前記トロフィー本体１４の上端面と固定的に連結され、前記中層板４８の中には下方に開口した円形溝３７が設置され、前記円形溝３７の右端壁には横溝４６が設置され、前記円形溝３７の上端壁の中にはねじり溝４４が設置され、前記ねじり溝４４の下端壁には上端が外部に位置した太い軸４１は回転できるように設置され、外部に位置した前記太い軸４１にはリール３９が固定的に設置され、前記横溝４６の右端壁には横向きバネ４５が固定的に設置され、前記横向きバネ４５の左端には台形ブロック４７が固定的に設置され、前記台形ブロック４７と前記リール３９とがロープ４３により連結され、また、前記ラックブロック２９が上昇するか昇降する時に、前記ラックブロック２９と前記伝動ギヤ２７との噛合伝動により、前記外殻ブロック２４を連動させて互いに離れさせまたは接近させる。
【００１３】
有益的に、前記展開機構６０は前記トロフィー本体１４の下側に位置したハンドルブロック３０も含み、前記ハンドルブロック３０の下端面には台座１０が固定的に設置され、前記ハンドルブロック３０の上端面には上端が前記昇降溝２５の中に位置した円形ブロック１２が固定的に設置され、前記昇降溝２５の外端壁には環形溝３４が設置され、前記円形ブロック１２の左右端面には前記円形ブロック１２から離れる片端が前記環形溝３４の中に位置した回転ロッド３６が対称的に固定的に設置され、前記回転ロッド３６のうち前記円形ブロック１２から離れる片端には前記環形溝３４とスライドできるように連結される弧形ブロック３５が固定的に設置され、前記円形ブロック１２の上端面には曲面ブロック３１が固定的に設置され、また、前記台座１０を回転させ、前記曲面ブロック３１を回転連動させることができ、前記曲面ブロック３１の前記底部ロッド３３に相対する回転が前記底部ロッド３３をプッシュし昇降させ、それにより前記中心ロッド１７をプッシュし昇降させる。
【００１４】
有益的に、前記香水機構６１はまた前記中層板４８の上側に位置した上層板２１を含み、前記上層板２１と前記中層板４８とが二本の左右に対称している上層ロッド５２により固定的に連結され、前記トロフィー本体１４の外側には香水ブロック１８が固定的に設置され、前記香水ブロック１８の中には香水溝１９が設置され、前記上層板２１の中には通気溝４２が設置され、前記通気溝４２と前記香水溝１９とが二本の左右に対称しているホース２０により連通しており、前記太い軸４１の上端が前記通気溝４２の中に位置しており、且つ前記太い軸４１の上端には通気板４０が固定的に設置され、前記通気板４０の中には前記通気板４０の上下端面を貫通した小さい穴５０が左右対称に設置され、前記通気溝４２の上端壁には排気穴５１が左右対称に設置され、前記上層板２１の上端面にはクリスタルジュエリー２３が固定的に設置され、前記クリスタルジュエリー２３の中には前記排気穴５１と外部とを連通した折畳溝２２が左右対称に設置され、また、前記通気板４０が回転する時に前記小さい穴５０に前記排気穴５１を連通させるまたは密封させることができる。
【００１５】
下記に図１〜４および上記に記載されたの本出願のクリスタルトロフィーの具体的な構造を参考して本発明の使用方法について詳しく紹介する：初期状態では、香水溝１９の中に香水が入っている。
【００１６】
正常な状態では、外殻ブロック２４が装置を保護し、装置の破損を防ぐために使用され、装置を展示する必要がある時に、台座１０を回転させ、弧形ブロック３５を環形溝３４の中に運動連動させ、それにより曲面ブロック３１を回転連動させ、曲面ブロック３１が回転し底部ロッド３３をプッシュし上昇させ、それにより中心ロッド１７を上昇連動させ、円形溝３７がラックブロック２９を上昇連動させ、ラックブロック２９と伝動ギヤとの噛合伝動により、外殻ブロック２４を互いに離れせて開かせ、装置を蓮の形に成形し、且つクリスタルジュエリー２３を展示でき、また中心ロッド１７が上昇し台形ブロック４７をプッシュし右方に運動させることができ、ロープ４３を引き動かし、リール３９を回転連動させ、それにより太い軸４１を回転連動させ、太い軸４１がハンドルブロック３０を回転連動させ、小さい穴５０をホース２０と排気穴５１とに合わせ、香水溝１９にある香水がホース２０と、小さい穴５０と排気穴５１とを通って折畳溝２２の中に入り、且つ折畳溝２２から発散し、外部に香りを付ける。
【００１７】
本発明の有益効果は、この装置を使用しない時に、外殻により内部のクリスタルジュエリーを保護でき、展示する時に蓮の形に成形でき、内部の五芒星形のクリスタルジュエリで美しい外観を形成し、また展示する時に、装置の中の香水が自然に揮発し、外部に香りを付けることができる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179129.tif 000003
【図２】
2020179129.tif 000004
【図３】
2020179129.tif 000005
【図４】
2020179129.tif 000006
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
正面視で、トロフィー本体を含み、前記トロフィー本体の中には上方に開口した昇降溝が設置され、前記昇降溝の中には展開機構が設置され、前記展開機構は左右に対称な二つの弾性溝を含み、前記弾性溝が前記トロフィー本体の中に位置しており、且つ前記弾性溝のうち前記昇降溝に近接する端壁が前記昇降溝に連通しており、前記弾性溝の下端壁には弾性バネが固定的に連結され、前記弾性バネの上端には前記弾性溝とスライドできるように連結される弾性ブロックが固定的に設置され、前記弾性ブロックのうち前記昇降溝に近接する端面には弾性ロッドが固定的に設置され、前記弾性ロッドのうち前記昇降溝に近づく一端が前記昇降溝の中に位置しており、前記昇降溝の中には上端が前記昇降溝の上端壁を貫通した中心ロッドがスライドできるように設置され、前記中心ロッドの下端面の右側には底部ロッドが固定的に設置され、前記中心ロッドの左右端面と前記弾性ロッドとが固定的に連結され、前記中心ロッドの外端面には六つのラックブロックが均一に固定的に設置され、前記昇降溝の外端壁には六つの外部に連通した活動溝が均一に分布しており、前記活動溝のいずれも、前記活動溝の前後端壁の間には伝動軸が回転できるように設置され、前記伝動軸には伝動ギヤと細ロッドとが固定的に設置され、前記伝動ギヤと前記ラックブロックとが噛合できるように伝動され、前記細ロッドの一端が前記活動溝の外部に位置しており、且つ前記細ロッドの一端には外殻ブロックが固定的に設置され、前記トロフィー本体の上側には香水機構が固定的に連結され、前記香水機構はトロフィー本体の上側に位置した中層板を含み、前記中層板が二本の左右に対称な中層ロッドにより前記トロフィー本体の上端面と固定的に連結され、前記中層板の中には下方に開口した円形溝が設置され、前記円形溝の右端壁には横溝が設置され、前記円形溝の上端壁の中にはねじり溝が設置され、前記ねじり溝の下端壁には上端が前記ねじり溝の外部に位置した太い軸が回転できるように設置され、前記太い軸にはリールが固定的に設置され、前記横溝の右端壁には横向きバネが固定的に設置され、前記横向きバネの左端には台形ブロックが固定的に設置され、前記台形ブロックと前記リールとがロープにより連結され、また、前記ラックブロックが上昇するか下降する時に、前記ラックブロックと前記伝動ギヤとの噛合伝動により、前記外殻ブロックを連動させて互いに離れさせまたは接近させることを特徴とするクリスタルトロフィー。
【請求項２】
前記展開機構は前記トロフィー本体の下側に位置したハンドルブロックも含み、前記ハンドルブロックの下端面には台座が固定的に設置され、前記ハンドルブロックの上端面には上端が前記昇降溝の中に位置した円形ブロックが固定的に設置され、前記昇降溝の外端壁には環形溝が設置され、前記円形ブロックの左右端面には前記円形ブロックから離れる片端が前記環形溝の中に位置した回転ロッドが対称的に固定的に設置され、前記回転ロッドのうち前記円形ブロックから離れる片端には前記環形溝とスライドできるように連結される弧形ブロックが固定的に設置され、前記円形ブロックの上端面には曲面ブロックが固定的に設置され、前記台座を回転させて前記曲面ブロックを回転連動させることができ、前記曲面ブロックの前記底部ロッドに相対する回転が前記底部ロッドをプッシュし昇降させ、それにより前記中心ロッドをプッシュし昇降させることを特徴とする請求項１に記載のクリスタルトロフィー。
【請求項３】
前記香水機構は前記中層板の上側に位置した上層板を含み、前記上層板と前記中層板とが二本の左右に対称な上層ロッドにより固定的に連結され、前記トロフィー本体の外側には香水ブロックが固定的に設置され、前記香水ブロックの中には香水溝が設置され、前記上層板の中には通気溝が設置され、前記通気溝と前記香水溝とが二本の左右に対称なホースにより連通しており、前記太い軸の上端が前記通気溝の中に位置しており、且つ前記太い軸の上端には通気板が固定的に設置され、前記通気板の中には前記通気板の上下端面を貫通した小さい穴が左右対称に設置され、前記通気溝の上端壁には排気穴が左右対称に設置され、前記上層板の上端面にはクリスタルジュエリーが固定的に設置され、前記クリスタルジュエリーの中には前記排気穴と外部とを連通した折畳溝が左右対称に設置され、また、前記通気板が回転する時に前記小さい穴に前記排気穴を連通させるまたは密封させることができることを特徴とする請求項１に記載のクリスタルトロフィー。
【手続補正２】
【補正対象書類名】明細書
【補正対象項目名】全文
【補正方法】変更
【補正の内容】
【発明の詳細な説明】
【技術分野】
【０００１】
本発明はクリスタル分野を取り上げて、具体的にはクリスタルトロフィーである。
【背景技術】
【０００２】
クリスタルは、その透明な特性と磨かれた美しい外観のため、トロフィーを作る材料として広く使われ、しかし既存のクリスタルトロフィーの大部分は保護手段を持たず、割れやすく、また外観の展示効果しかない。
【先行技術文献】
【特許文献】
【０００３】
【特許文献１】中国特許出願公開第１０４３５２０３４号明細書
【発明の概要】
【発明が解決しようとする課題】
【０００４】
本発明の目的はクリスタルトロフィーを提供し、それは上記の現在の技術中の問題を解決できる。
【課題を解決するための手段】
【０００５】
上記の課題を解決するため、本発明は以下の技術プランを採用する：本発明のクリスタルトロフィーは、トロフィー本体を含み、前記トロフィー本体の中には上方に開口した昇降溝が設置され、前記昇降溝の中には展開機構が設置され、前記展開機構は左右に対称な二つの弾性溝を含み、前記弾性溝が前記トロフィー本体の中に位置しており、且つ前記弾性溝のうち前記昇降溝に近接する端壁が前記昇降溝に連通しており、前記弾性溝の下端壁には弾性バネが固定的に連結され、前記弾性バネの上端には前記弾性溝とスライドできるように連結される弾性ブロックが固定的に設置され、前記弾性ブロックのうち前記昇降溝に近接する端面には弾性ロッドが固定的に設置され、前記弾性ロッドのうち前記昇降溝に近づく一端が前記昇降溝の中に位置しており、前記昇降溝の中には上端が前記昇降溝の上端壁を貫通した中心ロッドがスライドできるように設置され、前記中心ロッドの下端面の右側には底部ロッドが固定的に設置され、前記中心ロッドの左右端面と前記弾性ロッドとが固定的に連結され、前記中心ロッドの外端面には六つのラックブロックが均一に固定的に設置され、前記昇降溝の外端壁には六つの外部に連通した活動溝が均一に分布しており、前記活動溝のいずれも、前記活動溝の前後端壁の間には伝動軸が回転できるように設置され、前記伝動軸には伝動ギヤと細ロッドとが固定的に設置され、前記伝動ギヤと前記ラックブロックとが噛合できるように伝動され、前記細ロッドの一端が前記活動溝の外部に位置しており、且つ前記細ロッドの一端には外殻ブロックが固定的に設置され、前記トロフィー本体の上側には香水機構が固定的に連結され、前記香水機構はトロフィー本体の上側に位置した中層板を含み、前記中層板が二本の左右に対称な中層ロッドにより前記トロフィー本体の上端面と固定的に連結され、前記中層板の中には下方に開口した円形溝が設置され、前記円形溝の右端壁には横溝が設置され、前記円形溝の上端壁の中にはねじり溝が設置され、前記ねじり溝の下端壁には上端が前記ねじり溝の外部に位置した太い軸が回転できるように設置され、前記太い軸にはリールが固定的に設置され、前記横溝の右端壁には横向きバネが固定的に設置され、前記横向きバネの左端には台形ブロックが固定的に設置され、前記台形ブロックと前記リールとがロープにより連結され、また、前記ラックブロックが上昇するか下降する時に、前記ラックブロックと前記伝動ギヤとの噛合伝動により、前記外殻ブロックを連動させて互いに離れさせまたは接近させる。
【０００６】
優選の技術プランとして、前記展開機構は前記トロフィー本体の下側に位置したハンドルブロックも含み、前記ハンドルブロックの下端面には台座が固定的に設置され、前記ハンドルブロックの上端面には上端が前記昇降溝の中に位置した円形ブロックが固定的に設置され、前記昇降溝の外端壁には環形溝が設置され、前記円形ブロックの左右端面には前記円形ブロックから離れる片端が前記環形溝の中に位置した回転ロッドが対称的に固定的に設置され、前記回転ロッドのうち前記円形ブロックから離れる片端には前記環形溝とスライドできるように連結される弧形ブロックが固定的に設置され、前記円形ブロックの上端面には曲面ブロックが固定的に設置され、前記台座を回転させて前記曲面ブロックを回転連動させることができ、前記曲面ブロックの前記底部ロッドに相対する回転が前記底部ロッドをプッシュし昇降させ、それにより前記中心ロッドをプッシュし昇降させる。
【０００７】
優選の技術プランとして、前記香水機構は前記中層板の上側に位置した上層板を含み、前記上層板と前記中層板とが二本の左右に対称な上層ロッドにより固定的に連結され、前記トロフィー本体の外側には香水ブロックが固定的に設置され、前記香水ブロックの中には香水溝が設置され、前記上層板の中には通気溝が設置され、前記通気溝と前記香水溝とが二本の左右に対称なホースにより連通しており、前記太い軸の上端が前記通気溝の中に位置しており、且つ前記太い軸の上端には通気板が固定的に設置され、前記通気板の中には前記通気板の上下端面を貫通した小さい穴が左右対称に設置され、前記通気溝の上端壁には排気穴が左右対称に設置され、前記上層板の上端面にはクリスタルジュエリーが固定的に設置され、前記クリスタルジュエリーの中には前記排気穴と外部とを連通した折畳溝が左右対称に設置され、また、前記通気板が回転する時に前記小さい穴に前記排気穴を連通させるまたは密封させることができる。
【発明の効果】
【０００８】
この装置を使用しない時に、外殻により内部のクリスタルジュエリーを保護でき、展示する時に蓮の形に成形でき、内部の五芒星形のクリスタルジュエリーで美しい外観を形成し、また展示する時に、装置の中の香水が自然に揮発し、外部に香りを付けることができる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のクリスタルトロフィーの全体断面の正面構成略図
【図２】図２は図１のＡの拡大構造略図
【図３】図３は図１のＢの拡大構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参考し、本発明のクリスタルトロフィーは、トロフィー本体１４を含み、前記トロフィー本体１４の中には上方に開口した昇降溝２５が設置され、前記昇降溝２５の中には展開機構６０が設置され、前記展開機構６０は左右に対称な二つの弾性溝１６を含み、前記弾性溝１６が前記トロフィー本体１４の中に位置しており、且つ前記弾性溝１６のうち前記昇降溝２５に近接する端壁が前記昇降溝２５に連通しており、前記弾性溝１６の下端壁には弾性バネ１３が固定的に連結され、前記弾性バネ１３の上端には前記弾性溝１６とスライドできるように連結される弾性ブロック１５が固定的に設置され、前記弾性ブロック１５のうち前記昇降溝２５に近接する端面には弾性ロッド３２が固定的に設置され、前記弾性ロッド３２のうち前記昇降溝２５に近づく一端が前記昇降溝２５の中に位置しており、前記昇降溝２５の中には上端が前記昇降溝２５の上端壁を貫通した中心ロッド１７がスライドできるように設置され、前記中心ロッド１７の下端面の右側には底部ロッド３３が固定的に設置され、前記中心ロッド１７の左右端面と前記弾性ロッド３２とが固定的に連結され、前記中心ロッド１７の外端面には六つのラックブロック２９が均一に固定的に設置され、前記昇降溝２５の外端壁には六つの外部に連通した活動溝２６が均一に分布しており、前記活動溝２６のいずれも、前記活動溝２６の前後端壁の間には伝動軸２８が回転できるように設置され、前記伝動軸２８には伝動ギヤ２７と細ロッド３８とが固定的に設置され、前記伝動ギヤ２７と前記ラックブロック２９とが噛合できるように伝動され、前記細ロッド３８の一端が前記活動溝２６の外部に位置しており、且つ前記細ロッド３８の一端には外殻ブロック２４が固定的に設置され、（右側の前記活動溝２６を例にとると、右側の前記活動溝２６の前後端壁の間には伝動軸２８が回転できるように設置され、前記伝動軸２８には伝動ギヤ２７と細ロッド３８とが固定的に設置され、前記伝動ギヤ２７と右側の前記ラックブロック２９とが噛合できるように伝動され、前記細ロッド３８の右端が外部に位置しており、且つ前記細ロッド３８の右端には外殻ブロック２４が固定的に設置され）、前記トロフィー本体１４の上側には香水機構６１が固定的に連結され、前記香水機構６１はトロフィー本体１４の上側に位置した中層板４８を含み、前記中層板４８が二本の左右に対称な中層ロッド４９により前記トロフィー本体１４の上端面と固定的に連結され、前記中層板４８の中には下方に開口した円形溝３７が設置され、前記円形溝３７の右端壁には横溝４６が設置され、前記円形溝３７の上端壁の中にはねじり溝４４が設置され、前記ねじり溝４４の下端壁には上端が前記ねじり溝４４の外部に位置した太い軸４１が回転できるように設置され、前記太い軸４１にはリール３９が固定的に設置され、前記横溝４６の右端壁には横向きバネ４５が固定的に設置され、前記横向きバネ４５の左端には台形ブロック４７が固定的に設置され、前記台形ブロック４７と前記リール３９とがロープ４３により連結され、また、前記ラックブロック２９が上昇するか下降する時に、前記ラックブロック２９と前記伝動ギヤ２７との噛合伝動により、前記外殻ブロック２４を連動させて互いに離れさせまたは接近させる。
【００１３】
有益的に、前記展開機構６０は前記トロフィー本体１４の下側に位置したハンドルブロック３０も含み、前記ハンドルブロック３０の下端面には台座１０が固定的に設置され、前記ハンドルブロック３０の上端面には上端が前記昇降溝２５の中に位置した円形ブロック１２が固定的に設置され、前記昇降溝２５の外端壁には環形溝３４が設置され、前記円形ブロック１２の左右端面には前記円形ブロック１２から離れる片端が前記環形溝３４の中に位置した回転ロッド３６が対称的に固定的に設置され、前記回転ロッド３６のうち前記円形ブロック１２から離れる片端には前記環形溝３４とスライドできるように連結される弧形ブロック３５が固定的に設置され、前記円形ブロック１２の上端面には曲面ブロック３１が固定的に設置され、前記台座１０を回転させて前記曲面ブロック３１を回転連動させることができ、前記曲面ブロック３１の前記底部ロッド３３に相対する回転が前記底部ロッド３３をプッシュし昇降させ、それにより前記中心ロッド１７をプッシュし昇降させる。
【００１４】
有益的に、前記香水機構６１は前記中層板４８の上側に位置した上層板２１を含み、前記上層板２１と前記中層板４８とが二本の左右に対称な上層ロッド５２により固定的に連結され、前記トロフィー本体１４の外側には香水ブロック１８が固定的に設置され、前記香水ブロック１８の中には香水溝１９が設置され、前記上層板２１の中には通気溝４２が設置され、前記通気溝４２と前記香水溝１９とが二本の左右に対称なホース２０により連通しており、前記太い軸４１の上端が前記通気溝４２の中に位置しており、且つ前記太い軸４１の上端には通気板４０が固定的に設置され、前記通気板４０の中には前記通気板４０の上下端面を貫通した小さい穴５０が左右対称に設置され、前記通気溝４２の上端壁には排気穴５１が左右対称に設置され、前記上層板２１の上端面にはクリスタルジュエリー２３が固定的に設置され、前記クリスタルジュエリー２３の中には前記排気穴５１と外部とを連通した折畳溝２２が左右対称に設置され、また、前記通気板４０が回転する時に前記小さい穴５０に前記排気穴５１を連通させるまたは密封させることができる。
【００１５】
下記に図１〜４および上記に記載された本出願のクリスタルトロフィーの具体的な構造を参考して本発明の使用方法について詳しく紹介する：初期状態では、香水溝１９の中に香水が入っている。
【００１６】
正常な状態では、外殻ブロック２４が装置を保護し、装置の破損を防ぐために使用され、装置を展示する必要がある時に、台座１０を回転させ、弧形ブロック３５を環形溝３４の中で運動連動させ、それにより曲面ブロック３１を回転連動させ、曲面ブロック３１が回転し底部ロッド３３をプッシュし上昇させ、それにより中心ロッド１７を上昇連動させるとともに、中心ロッド１７がラックブロック２９を上昇連動させ、ラックブロック２９と伝動ギヤとの噛合伝動により、外殻ブロック２４を互いに離れさせて開かせ、装置を蓮の形に成形し、且つクリスタルジュエリー２３を展示でき、また中心ロッド１７が上昇し台形ブロック４７をプッシュし右方に運動させることができ、ロープ４３を引き動かし、リール３９を回転連動させ、それにより太い軸４１を回転連動させ、太い軸４１を回転連動させることで、小さい穴５０をホース２０と排気穴５１とに合わせ、香水溝１９にある香水がホース２０と、小さい穴５０と排気穴５１とを通って折畳溝２２の中に入り、且つ折畳溝２２から発散し、外部に香りを付ける。
【００１７】
本発明の有益効果は、この装置を使用しない時に、外殻により内部のクリスタルジュエリーを保護でき、展示する時に蓮の形に成形でき、内部の五芒星形のクリスタルジュエリーで美しい外観を形成し、また展示する時に、装置の中の香水が自然に揮発し、外部に香りを付けることができる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。